(57)【要約】【課題】ふすま、障子、家具などの壁面などに繰り返し貼着可能で、剥がす際に紙などの弱い貼着面が破れて破損したりすることがない状差しを提供する。【解決手段】重ねられたシートの１辺が開口され残りの三辺がシールされて、複数のポケット部Ｐ１，Ｐ２が開口部１，２を段違いにして形成され、貼着面に対向するシート面の裏面に貼着面に繰り返し貼着剥離可能な貼着剥離層４が設けられた状差しであって、貼着剥離層４は、貼着面に対向するシート面の裏面に強粘着糊層５が貼着され、この強粘着糊層５に接着性を向上させる粗面を有する仕切シート６を介して球状粘着材を使用した再剥離糊層７が貼着され、この再剥離糊層７に剥離シート８が積層されている。ポケット部は、第１のポケット部の前面に第２のポケット部が開口部を段違いにして形成したり、開口部を段違いにして上下に形成したりすることができる。【選択図】図３
2011098452.tif 000002
【特許請求の範囲】
【請求項１】
重ねられたシートの１辺が開口され残りの三辺がシールされて、複数のポケット部が開口部を段違いにして形成され、貼着面に対向するシート面の裏面に貼着面に繰り返し貼着剥離可能な貼着剥離層が設けられた状差しであって、前記貼着剥離層は、前記貼着面に対向するシート面の裏面に強粘着糊層が貼着され、この強粘着糊層に接着性を向上させる粗面を有する仕切シートを介して球状粘着材を使用した再剥離糊層が貼着され、この再剥離糊層に剥離シートが積層されていることを特徴とする状差し。
【請求項２】
第１のポケット部と、第１のポケット部の前面の第２のポケット部とが開口部を段違いにして形成されていることを特徴とする請求項１に記載の状差し。
【請求項３】
複数のポケット部が開口部を段違いにして上下に形成されていることを特徴とする請求項１に記載の状差し。
【請求項４】
前記貼着剥離層が貼着面に対向するシート面の裏面に、裏面の周縁に枠状に、裏面の全面に、あるいは間隔をおいて帯状に設けられていることを特徴とする請求項１〜３のいずれかに記載の状差し。
【請求項５】
前記シートがポリプロピレンシート、ポリエチレンシート、ポリ塩化ビニールシート又はラミネートシートのいずれかであることを特徴とする請求項１〜４のいずれかに記載の状差し。
【請求項６】
前記再剥離糊層が平均粒径１〜２５０μｍの球状粘着材を含むことを特徴とする請求項１〜５のいずれかに記載の状差し。
【発明の詳細な説明】
【技術分野】
【０００１】
本発明は、状差しに関し、特に、壁、ガラス、家具、家電製品、ふすまなどあらゆる箇所に貼着剥離が繰り返しできるとともに、紙などの弱い貼着面を損傷したりすることのない状差しに関する。
【背景技術】
【０００２】
家具、冷蔵庫、本棚、下駄箱等の取付面を傷つけることなく、また、汚すことなく任意の指定した位置に簡単に接着して吊り下げることができ、しかも吊下位置も簡単に変更することができ、選択が可能であり、長期間の使用により接着製を失うこともない状差しが提案されている（特許文献１参照）。この状差しは、シート材よりなる基体に収容部を形成しており、基体の上部の滑り止めシートの裏面に合成樹脂からなり真空吸着力又は粘着力を有する滑り止め層を備えてなるものである。
【０００３】
しかしながら、前記特許文献１に記載されている状差しは、上部の滑り止めシートを載せる水平面が必要であるため、壁などの水平面がない垂直面だけの箇所には吊り下げることができない。
【０００４】
一方、状差しではないが、壁や家具などの垂直の貼着面に張り付けが可能で、写真、賞状、ポスターなどのシート状の掲示物を透明な袋やケースに収納し、袋の外から掲示物が見えるように掲示するものが知られている（例えば、特許文献２、３参照）。
【０００５】
前記特許文献２には、前面フィルムと後面フィルムとが挿入口を除く３辺で閉塞されてなる透明の袋からなり、後面フィルムには、少なくとも挿入口付近に貼り剥がし自在な接着剤を配してなる一時的接着用部を設けた収納袋において、一時的接着用部には、両面接着テープ、あるいは貼り剥がし可能な接着剤を直接的に袋体の後面フィルムに設けることが記載されている。
【０００６】
また、前記特許文献３には、基材シートの一面に透明フィルムの周辺部が開口部を残して熱融着されて袋状に形成され、基材シートの他面に粘着性微小粒子より形成された再剥離性を有している粘着剤層が形成されている粘着袋が記載されている。
【先行技術文献】
【特許文献】
【０００７】
【特許文献１】実開平０６−０５５７６９号公報
【特許文献２】登録実用新案第３０９０８９０号公報
【特許文献３】実開昭６０−８０８２号公報
【発明の概要】
【発明が解決しようとする課題】
【０００８】
前記特許文献２に記載された収納袋では、両面接着テープの接着層が強力であるため、収納袋を貼着面から剥離した際に、接着層により貼着面を汚していた。また、貼着面がふすま、障子などのような強度のない紙の場合、接着層が紙に接着したままで剥がれずに紙が破れたりしていた。
【０００９】
また、前記特許文献３に記載された粘着袋では、再剥離性を有している粘着剤層が基材シートに直接形成されているが、ポリプロピレンシート（ＰＰ）、ポリエチレンシート（ＰＥ）、塩化ビニールシート（ＰＶＣ）などの熱収縮し易い透明フィルムに粘着剤層を直接塗工した場合、粘着剤層の乾燥工程で熱により透明フィルムが収縮して袋に適した透明シートが作れなくなるという問題があった。
【００１０】
また、再剥離性を有している球状粘着剤層は、塗工方法を選ぶために材質により相性のいいものと悪いものがある。袋の材質がポリエチレンテレフタート（ＰＥＴ）の場合は直接塗工が可能であるが、ＰＰ、ＰＥ、ＰＶＣなどでは熱収縮により直接塗工できないため、袋の材質が限定されるという欠点があった。
【００１１】
このように従来の裏面に粘着剤層を形成した袋は、粘着剤層が紙から剥がれずに紙が破れたりするおそれがあったため、使用されていなかった。
【００１２】
そこで、本発明は、ふすま、障子、家具などの壁面に繰り返し貼着剥離が可能であるとともに、剥がす際に紙などの弱い貼着面が破れて破損したりすることがない状差しを提供するものである。
【課題を解決するための手段】
【００１３】
本発明の状差しは、重ねられたシートの１辺が開口され残りの三辺がシールされて、複数のポケット部が開口部を段違いにして形成され、貼着面に対向するシート面の裏面に貼着面に繰り返し貼着剥離可能な貼着剥離層が設けられた状差しであって、前記貼着剥離層は、前記貼着面に対向するシート面の裏面に強粘着糊層が貼着され、この強粘着糊層に接着性を向上させる粗面を有する仕切シートを介して球状粘着材を使用した再剥離糊層が貼着され、この再剥離糊層に剥離シートが積層されていることを特徴とする。
【００１４】
複数のポケット部は、第１のポケット部と、第１のポケット部の前面に第２のポケット部が開口部を段違いにして形成したり、開口部を段違いにして上下に形成したりすることができる。
【００１５】
前記貼着剥離層は、貼着面に対向するシート面の裏面に、裏面の周縁に枠状に、裏面の全面に、あるいは間隔をおいて帯状に設けることができる。
【００１６】
前記シートは、ポリプロピレンシート、ポリエチレンシート、ポリ塩化ビニールシート又はラミネートシートのいずれかがシールのし易さなどから適している。
【００１７】
また、前記再剥離糊層は、平均粒径１〜２５０μｍの球状粘着材を含む。
シールのし易さなどから適している。
【００１８】
ポケット部に収納する物は、開口部から挿入して収納可能な物であり、例えば、写真、賞状、カレンダー、ポスター、絵はがき、メモ用紙、広告紙、商品案内シート、こよみカード、計画表などポケット部に収納できるサイズで、貼着面へ貼着後に保持できる重さのものであればよい。
【００１９】
ポケット部には、ポケット部内に収納した掲示物を外側から透視できるように、透明部を形成してもよい。透明部はポケット部全体を透明シートで作成すれば手間を掛けずにそのまま形成できる。また、透明部に、掲示物を見映えよくするため、掲示物が載る大きさの台紙を挿入し、シート状物の周りに台紙により枠が形成されるようにしてもよい。
【００２０】
貼着剥離層は、強粘着糊層、仕切シート、再剥離糊層、剥離シートで形成される。第１のポケット部を貼着する強粘着糊層は、状差しを壁などの貼着面から剥離する際に、状差しが強粘着糊層から剥離することのない強い粘着強度を有する強粘着糊を使用する。状差しに再剥離糊層を直接貼着せずに、まず状差しを強粘着糊層で貼着することにより、状差しの再剥離糊層の貼着不能の不具合が解消されるとともに、状差しの材質に限定されることなく再剥離糊層の適用が可能となる。
【００２１】
強粘着糊層と再剥離糊層とは仕切シートを介して積層する。仕切シートは、紙シートあるいは樹脂フィルムを使用する。仕切シートの表面は再剥離糊層との接着性を向上させるため微細な凹凸により粗面を有する。樹脂シートはコロナ放電などの表面処理により微細な凹凸を形成して再剥離糊層との接着性を向上させて強固に接着する。紙は表面がザラザラした粗面である場合、特に表面処理することなく再剥離糊層を強固に接着可能である。この仕切シートにより、収納袋を貼着面から剥離する際に、再剥離糊層が仕切シートからは分離することなく、再剥離糊層は貼着面から容易に剥離可能となる。
【００２２】
再剥離糊は、粒状アクリル系重合体など市販されている公知の再剥離製粘着組成物を使用することができる。共重合体球体は１〜２５０μｍの平均粒径を有している。再剥離糊層により、ガラス、金属、木、タイル、陶磁器、樹脂、紙などの平面あるいは曲面に貼着でき、剥離後には貼着面を汚すことがなく、繰り返し貼着・剥離することができる。また、貼着面がふすま、障子などのような強度のない紙であっても、紙を破ることなく貼着・剥離することができる。
【発明の効果】
【００２３】
本発明の状差しは、強粘着糊層、仕切シート、再剥離糊層で形成される貼着剥離層により繰り返し貼着剥離できるので、任意の場所に繰り返し貼り付けることができる。
【００２４】
また、状差しを剥離する際にふすまや障子などの弱い貼着面を損傷したりすることもない。
【００２５】
また、第１ポケットは第２ポケットより大きく形成されているので、第２のポケット部では前に倒れるため安定して収納できない比較的大きい書類を安定して収納することができる。また、小さい書類は、第２のポケット部を透明にすれば、外側から透視することが可能となり、写真や絵はがきなどを挿入することにより見映えがよくなる。
【００２６】
透明のポケット部を上下２段あるいは３段のポケットに設け、二ヶ月分あるいは三ヶ月分のカレンダーを連続して収納、月替わりに交換可能にすることにより、カレンダーを有効に利用することができる。
【図面の簡単な説明】
【００２７】
【図１】本発明の状差しの一実施例を示す斜視図である。
【図２】本発明の状差しの裏面側を示す図である。
【図３】本発明の状差しの貼着剥離層の各種配置を示す図である。
【図４】本発明の状差しを壁やふすまなどに貼着した例を示す図である。
【図５】（ａ）は本発明の状差しの別実施例を示す正面図、（ｂ）は同縦断面図である。
【図６】写真と台紙を第２ポケット内に挿入した例を示す図である。
【発明を実施するための形態】
【００２８】
本発明の実施例について図面を参照しながら説明する。
【実施例１】
【００２９】
図１〜図３において、状差しは、ポリプロピレン製のシートを重ねて上部を解放し、残り三辺がシールされて第１のポケット部Ｐ１とその上に第２のポケット部Ｐ２が形成されるとともに、第１のポケット部Ｐ１の開口部１と第２のポケット部Ｐ２の開口部２が段違いに形成される。
【００３０】
第１のポケット部Ｐ１は大きな書類を収納できるように第２のポケット部２より大きく形成する。本実施例では、第１のポケット部Ｐ１の半分の大きさの第２のポケット部２が形成されている。
【００３１】
第２のポケット部２は、挿入した収納物が透視できるように、全体を透明樹脂シートで形成することができる。なお、写真３などを挿入した場合、写真３が透視できる部分のみを透明にし、透明部分の回りを印刷により色や模様を施してもよい。
【００３２】
状差しを貼着する壁やふすまなどの貼着面に対向する、第１のポケット部Ｐ１の裏面側の全面には、壁などの貼着面に対して繰り返し貼着と剥離が可能な貼着剥離層４が設けられている。
【００３３】
図３に示すように、貼着剥離層４は、第１ポケット部２に貼着するための強粘着糊層５（例えば、リンテック（株）製「ＰＷ糊」）に表面に紙などの仕切シート６を介して再剥離糊層７（例えば、リンテック（株）製「リピール」）が積層されている。再剥離糊層７には剥離シート８が積層されており、剥離紙８は、図２に示すように貼着時に剥離して除き、再剥離糊層７を露出させる。
【００３４】
本実施例では、貼着剥離層４を帯状に間隔をおいて形成しているが、貼着剥離層４の配置および大きさは適宜決定でき、状差しの大きさにより裏面側の全面、あるいは周縁に枠状に設けてもよい。
【００３５】
本発明の状差しは、写真１を第２のポケット部Ｐ２の開口部２から挿入して収納した後、剥離紙８を剥がし、図４に示すように、壁、家具、ふすまなど適宜の貼着面に貼着して掲示することができる。あるいは、状差しを貼着面に貼着後、第１のポケット部Ｐ１、第２のポケット部Ｐ２に書類や写真を挿入する。
【実施例２】
【００３６】
図５において、上下２段に透明のポケット部Ｐ３，Ｐ４が形成され、実施例１と同様に、貼着面に対向する裏面に貼着剥離層４が形成されている。
【００３７】
透明のポケット部Ｐ３，Ｐ４を上下２段に設け、今月と先月又は来月の二ヶ月分のカレンダー３を連続して収納することにより、カレンダーを有効に利用することができる。また、月が変われば容易に交換することができる。
【実施例３】
【００３８】
図６は書類３を第１のポケット部Ｐ１に挿入し、写真３と台紙９を第２ポケット部Ｐ２内に挿入した例である。
【００３９】
第２ポケット部Ｐ２では、台紙９により写真３の周りが縁取りされるようになるので、あたかも額縁に入れたように見えるので、見映えがよくなる。また、台紙９の色や模様により、掲示物を引き立たせることができる。
【符号の説明】
【００４０】
１：開口部
２：開口部
３：収納物(書類、写真、カレンダー)
４：貼着剥離層
５：強粘着糊層
６：仕切シート
７：再剥離糊層
８：剥離シート
９：台紙 
Ｐ１〜Ｐ４：ポケット部
【図１】
2011098452.tif 000003
【図２】
2011098452.tif 000004
【図３】
2011098452.tif 000005
【図４】
2011098452.tif 000006
【図５】
2011098452.tif 000007
【図６】
2011098452.tif 000008